Podtech/llm-jp-corpus-v4-ja_patent huggingface dataset:
(57)【要約】      （修正有）【課題】足首間接の牽引が可能で、家庭でも、仕事場でも出来る足の間接（足首間接、膝間接、股関節）に特化した牽引を、必要最小限の装置で安価、かつ容易に出来るようにすることである。【解決手段】上述の目的を達成する本発明の足関節簡易牽引バンド１２、１３、１４、１５は、ゴムの組み合せとそれに付随する、結束金具、長さ調整可能な止め金具１７、１８、フックのみで形成されているシンプルな構造であり、牽引に必要な動力は、ゴムの収縮性のみを利用するものである。足への装着は、足の甲、踵からアキレス腱辺りに装着することで足首間接の牽引を可能とした。直交方向に交わるゴムの引張り力を利用することで、牽引している際の装着の安定感が増し、足を動かしてもはずれることはない。【選択図】図１
2008100025.tif 000002
【特許請求の範囲】
【請求項１】
ゴムバンドを直方向へ組み合わせたバンドで、足の甲、及び踵へ装着し、足首間接、膝関節、股関節の牽引をゴムの引張り力を利用して容易に出来る、足間接簡易牽引バンド。
【請求項２】
前記、足の甲、及び踵への脱装着は、組み合わせたバンドが、互いに移動可能であるため脱装着が容易であり、又、互いに直交するゴムの引張り力により、使用時は固定度が増し、足を動かそうとも外れることがない装着方法を特徴とする請求項１記載の足間接簡易牽引バンド。
【請求項３】
前記、足の甲、及び踵への脱装着は、長さ調整金具を取付けてあるので、足のサイズによって使用の難易度が変わるものではないのを特徴とする請求項２記載の足関節簡易牽引バンド。
【発明の詳細な説明】
【技術分野】
【０００１】    本発明は、足首間接、膝関節、股関節のゴムバンドによる牽引装置、及び当該ゴムバンドによる足への装着方法に関する。
【技術背景】
【０００２】    従来、牽引装置は、足首、腰、又は、脇に装着するものを主としており、ゴムの収縮力を利用した踵、及び足の甲への装着可能なものは無く、足首の間接は牽引することは出来ない。
【０００３】    従来の牽引装置は引張り力を与えたときに体を固定させる必要があり装置全体が大掛かりなものとなり一般家庭には馴染み難く、携帯用としては不向きである。
【発明の開示】
【発明が解決しようとする課題】
【０００６】    上述のごとく、従来技術に関る牽引装置は、足首の間接を牽引することは不可能である、又、大掛かり、かつ専門的なものであり家庭用としては馴染み難い。【０００７】    本発明は、このような点に鑑みてなされたものであり、その目的は、足首間接の牽引が可能で、家庭でも、仕事場でも出来る足の間接（足首間接、膝間接、股関節）に特化した牽引を、必要最小限の装置で安価、かつ容易に出来るようにすることである。【０００８】    当足簡易牽引バンドは、足首、膝、股関節にトラブルを抱える人の内、過度な運動や、加齢による衰えから間接の軟骨が磨耗し、痛みや、痺れを感じている人、足首の歪みによる捻挫が癖になっている人、その他、間接の歪みによる種々の不具合を感じている人の治療のサポート。又は、障害が出る前の予防。足腰に疲れを感じてる人の疲労解消。Ｏ脚、Ｘ脚の矯正。成長期の足の成長補助器具として使用することを目的とする。【０００９】    上述の目的を達成する本発明の足関節簡易牽引バンドは、ゴムの組み合せとそれに付随する、結束金具、長さ調整可能な止め金具、フックのみで形成されているシンプルな構造であり、牽引に必要な動力は、ゴム、又はそれに代わる弾性部材の収縮性のみを利用するものである。【００１０】    足への装着は、足の甲、踵からアキレス腱廻りに装着することで足首間接の牽引を可能とした。直方向に交わるゴムの引張り力を利用することで、牽引している際の装着の安定感が増し、足を動かしてもはずれることはない。【００１１】    組み合わせたゴムバンドは、互いに移動が可能であり、上述の足への装着を容易、且つ迅速に行えるものとした。【００１２】    以下、本発明の実施の形態を図面に基づき詳細に説明する。【００１３】    図１は、使用前の外観斜視図、図２、図３は、使用時の外観斜視図である。【００１４】    図１に示すように、本足関節簡易牽引バンド１１は１個の閉鎖したゴムバンド１２に、直交方向に足の甲を押さえるゴムバンド１３を、移動可能な状態で取付けたものである。【００１５】    図２に示すように、ゴムバンド１２の内１４部を踵からアキレス腱部にあてがい、ゴムバンド１３を適宜位置調整をしながら、足の甲にあてがった状態で、フック１５を矢印１６方向に緊張させる。ゴムバンド１３とゴムバンド１２の内１４部が互いに力を作用させながら、内側に絞り込まれ、完全に固定され外れることはない。外す時は、ゴムバンド１２の緊張を緩め、ゴムバンド１３をスライドさせれば、容易に外すことが出来る。【００１６】    長さ調整機能付止め金具１７は使用者の足のサイズに合わせて、調節出来、長さ調整付止め金具１８は使用者の使用状況に合わせて調整出来る。【００１７】    前述フック１５を固定する固定点は使用者が各自設定するものとし本発明には含まれない。ベッドの桟や、壁に設けたフック、床と天井を利用した突っ張り棒等を利用するのが望ましい。又固定点は、つま先位置よりある程度高い位置に設定することで、間接の牽引が、より効果的に行える。【００１８】    図３に示すように、本足間接簡易牽引バンド使用時は体の位置を固定点からより離すことで、より引っ張り力を得ることが出来、逆に体を固定点に近づけることで引っ張り力を和らげ��ことが出来る。【００１９】    図３に示すように、本足間接簡易牽引バンド使用時は足首間接、膝関節、股関節の牽引を家庭で、寝具に横たわった状態、もしくは腰掛けた状態で簡易に出来る。両足同時でも、片足ずつの使用でもどちらでも可能である。
【産業上の利用可能性】
【００２０】    本発明は足牽引具として、健康器具、医療、美容に係わる製品を製造、販売する産業分野で利用することが出来る。
【図面の簡単な説明】
【００２１】
【図１】    本発明の第１の実施の形態に係わる足間接簡易牽引バンドの外観斜視図である。
【００２２】
【図２】    図１の足間接簡易牽引バンドの使用時における斜視図である。
【図３】    図１の足間接簡易牽引バンドの使用時における斜視図であり、図２より広範囲な図である
【符号の説明】
１１，１２，１３，１４，１５    牽引バンド
１６                            ゴム引張り力の方向
１７，１８                      長さ調整機能付止め金具
【図１】
2008100025.tif 000003
【図２】
2008100025.tif 000004
【図３】
2008100025.tif 000005
(57)【要約】      （修正有）【課題】雨が降っても濡れることがなく、鳩や害獣などを近づけさせない物干しハンガーの提供。【解決手段】物干しハンガー４の上に、ビニール等で作った傘１を取付け、該傘に電子波長の異なる彩色３を、縞状、若しくは斑文用にして塗布又は印刷にて施す。【選択図】図１
2008100029.tif 000002
【特許請求の範囲】
【請求項１】
本図面に見られる様な、現在、市販されている、円形、四角形、若しくは、多機能型ハンガーの上部に、ビニール、ナイロン、紙、プラスチック製、素材品で傘を作り、固縛出来、これに覆せて、使用できる、雨路除け傘を発明し、実用化される事への請求をして、
【請求項２】
請求項１に発明される「雨露除け傘」に、黒白。黄黒。赤青。赤白‥‥‥等、電子波長の違う、反対色ストライプ他にある、まだら模様を之に付け、必要用途に用いた場合、害虫、害鳥、害獣等を容易に、人間居住地域、空間に近づけさせなくなる事を発見し、発明され、実用化される事への請求。
【発明の詳細な説明】
【技術分野】
【０００１】  大規模工事現場等を借りて実験される、多くの人の通る通路。足元、他に、発泡スチロールで出来た突出物を突き出させた場合、多くの人々をつまづかせた事になった。――実験色は、コゲ茶色であった。
ところが、この被験物に、極単な青色、他、紅色を塗った際、殆どの人々は、これに気が付き、之を避けて通る効果があった時、この色合の内、紅色をコタツや、風呂に用いた際、利用物の全ての物は、温みを感じる色彩となった。脳中に大量のアドレナリンが発散したからであり、怖い色である。とする、拒絶色であった事に、反対して、極単な青色を、之に用いた場合、気は付く物の、すぐに無視される色合となった。気が付いていれば何とかなる色彩だったからであり、大火傷した病人の室内を青く塗ると、患者の患部が治癒する程の勢いを持つ、涼色にあって、人動物の脳中にメラトリンを発散し続け、双方において、これらの色を見続けた後、極度な居眠りを催す程、催眠効果を実行した時、この反対二色を、本発明品、傘に用い、斑文様にした所、害虫、害鳥、害獣が、人の居住域に近づかず、洗濯物を一日中庇下に干していても、取り入れなくとも済む技術力があった。
【背景技術】●Ｔ．４２０、発光ペンダント  ●Ｔ．４５０、マングース  ●Ｔ．４１０、ベッド
【発明の開示】
【発明が解決しょうとする課題】
【０００２】  筆者は、ある趣旨の（土木、建築）研究目的を得る為、溶接作業員となり、ダム建設現場の鍛治に入り、大規模建設建造物の骨組を研究していた事があった。
【０００３】  朝４時半に起床し、身支度を整え、５時から５時半の間に、食堂で朝食を済ませ、６時には、ダム工事現場へ、人夫を乗せて走るバスに乗って出かけ、夕刻、５時に作業を終えるまで、一切、飯場に帰る事が出来なかった。――この時の事であった。
【０００４】  山間部の天気は不安定であり、一日の内、気紛れに降る、通り雨のすさましさに、飯場に干して来た、洗濯物、衣類、作業着のズブ濡れになっているのを覚えたが、どうする事も出来ず、仕事を終え、果して飯場に帰って来て見ると、これらは、もう一度、脱水器にかけなければならない物になっており、脱水し、夜間、もう一度干して置くと、又、通り雨に祟られ、どうにもならなくなった。何とかしようと考えた時課題が生じた。
【課題を解決するための手段】
【０００５】  その様にし、何日も、同じ事を繰り返えし、困まり果てていた時、「物干しハンガー」の上に、ビニールの傘を、本図面に見られる様に被せてみた。
【発明を実施するための最良の形態】
【０００６】  しかしながら、本発明品は、（ガサガサとガサ張る程、固い物、他）ビニール、ナイロン、他、燃やしても、人体に有害煙の出ない、特殊紙で作られる事が望ましく、ハンガーの引っ掛け上部口は、認意の位置でハサミで切り落し、使用できる様にし、下部、すそには、巾着口にし、中に綴じ紐、若しくは、ゴム他、バネ等を用いて、ハンガーにしっかりと、取り付く様に設定させ、四方に延びる筋目には、ハンガー吊り紐に固縛できる、固縛紐の多くを用けて製作される型体物が理想となった。この時から、
【発明の効果】
【０００７】  ――――この様に、日々、毎日生活し、朝出勤し、夕刻にならなければ、絶対に帰宅出来ず、毎日の様に、雨で、ズブ濡れになっていた筆者の洗濯した干し物は、いか様に外部や、ベランダに日重、一日中、晒しておいても、自在のままとなり、
【実施例】
【０００８】  雨の日にも、取り込みを必要とはせず、任意のままに、天日で乾き続けるものとなった。
そして、この「ハンガー傘」に、動物のゼブラ模様等を配色すると、最近、害鳥になりつつある、鳩、烏‥‥等の鳥類を次第に近づけさせなくなる効果が生じ、ジラフ、タイガー模様の様に、下地に黄色を配色し、ストライプ、黒の多いデザインを入れた傘を蜂の出没する場所に吊るして、用いると、次第に蜂が来なくなり、附近に営巣するのを止める様になる効果があった。高層アパート、マンションに用いると、適当効果が見られます。
【産業上利用の可能性】
【０００９】  推理小説と、発明は、「小見出しに始まり、最初の一頁と、最後の一頁を見ただけで、本の是非が分かる物でなければいけない。」と言われる程、これに興味を覚える学生と、物の価値観に疎い独身者と、‥‥‥‥（私にも言いかねる）専業主婦。利害関係に悟い、会社産業、促進部長が、見るからであった。本発明品は、社会にある、この四要素人口にある人々に満足をいただけると、考えた時、産業上の利用性の極めて高い物である。と推意された。
【図面の簡単な説明】
【００１０】
【図１】  現在、市販されている、洗濯物吊りハンガーの上に、ビニール等で作った傘を取り付けると、ベランダ等、他通常の雨天候の下での洗濯物を取り忘れをした際、雨露から、これが庇護され続ける他、この傘に、必要用途に合わせた（電子派長の全っく違う）正反対にある色彩色を、稿、若しくは、斑文様にして、塗布、印刷した場合、害虫（特に蜂）や、害鳥、害獣を人の居住付近に近づけさせない効力があった事を示す図。
【付号の説明】
【００１１】１．本発明される、「ハンガーブレラー本体図。」  ２．ハンガーブレラ本体の内側に用けられた固縛紐。  ３．ハンガーブレラーの表面に印刷された色違いの色彩色であり、黄、黒、緑等三色を配色すると、蜂が来ず、赤青他、黒白の様に反対色、他、赤青黄朱色を混ぜてみた時、害鳥、害獣が、人の居住空間、他、田畑、農作物地帯に近寄らなくなる効果が生じる事を示した図。  ４．現在、市販されているハンガー。  ５．ゼブラ模様。  ６．雨。  ７．天候日、たたんで、隅に寄せられたハンガーブレラー。  ８．巾着綴紐及びゴム。
【図１】
2008100029.tif 000003
(57)【要約】【課題】  この発明は、美味しさを感じさせる弁当箱を提供することを課題とする。【解決手段】  弁当箱の付属品で弁当箱容器と同じ材質等の取り出し自由な仕切り板を弁当箱容器と同色に限定せず、仕切り板を緑色に指定する。本緑色の仕切り板をご飯とおかず、または各おかずの区別に用い、彩りの良い美味しそうな弁当とする。【選択図】図１
2008100024.tif 000002
【特許請求の範囲】
【請求項１】
弁当箱の付属品で弁当箱容器と同じ材質等の取り出し自由な仕切り板を弁当箱容器と同色に限定せず、仕切り板を緑色に指定したことを特徴とする食欲をそそる弁当箱。
【発明の詳細な説明】
【技術分野】
【０００１】  本発明は、美味しさを感じさせる弁当箱に関するものである。
【背景技術】
【０００２】  従来、弁当箱は多種多様ある。中にはご飯とおかず、または各おかずを区別するための仕切り板のある物もある。仕切り板で区別したり、それとは別にバランを区別や、彩りに用いていた。
【発明の開示】
【発明が解決しようとする課題】
【０００３】  従来の弁当箱には、次のような問題点があった。
イ）弁当箱容器と仕切り板が同じ色の物がほとんどである。
ロ）弁当に緑色を用いると美味しそうに見えるが、いつも緑色の具材があるわけではない。
ハ）バランは緑色であるが、別に買い求めなければならず、費用もかかる。
ニ）バランは弁当の補足品なので買い忘れしやすい。
そこで、この発明は、美味しさを感じさせる弁当箱を提供することを課題とする。
【課題を解決するための手段】
【０００４】  弁当箱の付属品で弁当箱容器と同じ材質等の取り出し自由な仕切り板を弁当箱容器と同色に限定せず、仕切り板を緑色に指定することにより、彩りの良い美味しそうな弁当となる。【０００５】  本発明を使用することにより
イ）緑色が加わることで、美味しそうに見える。
ロ）仕切り板は弁当箱の付属品なので、別にバランを買う必要がないのて経済的である。
ハ）仕切り板は弁当箱の付属品なので、買い忘れがない。
本発明は以上の問題点を解決するものである。
【発明を実施するための最良の形態】
【０００６】  以下、本発明の実施の形態について説明する。
図２に示すように、弁当箱の付属品で弁当箱容器（２）と同じ材質等の取り出し自由な仕切り板（１）を弁当箱容器（２）と同色に限定せず、仕切り板（１）を緑色に指定する。
本発明は以上の構成からなる。
本発明を使用する時は、図３に示すように、ご飯（４）とおかず（５）、または各おかず（５）の区別に本緑色の仕切り板（１）を用い、彩りの良い美味しそうな弁当とする。
【図面の簡単な説明】
【０００７】
【図１】本発明の斜視図
【図２】本発明の要部拡大の斜視図
【図３】本発明の実施形態を示す斜視図
【符号の説明】
【０００８】        １  仕切り板
２  容器
３  蓋
４  ご飯
５  おかず
【図１】
2008100024.tif 000003
【図２】
2008100024.tif 000004
【図３】
2008100024.tif 000005
(57)【要約】【課題】本発明は、首、肩にベルトをかけ、傘を傘固定具に固定し、手を使うことなく傘をさすことのできる用具を提供する。【解決手段】傘取り付け具をベルトの中間に取り付け、先端にズボン、スカートに取り付けることのできる取り付け具を付けたことを特徴とする傘取り付け用具。あるいは、リュックサック、バッグ、かばん、エキスパンダーのストラップに巻きつけ取り付けることができることを特徴とする傘取り付け用具。【選択図】図６
2008100019.tif 000002
【特許請求の範囲】
【請求項１】
チューブまたはクリップからなる傘取り付け用の固定具を長いベルトの途中に取り付け、長いベルトの先端に取り付けたクリップまたはフックなどにより、ズボンやスカートに取り付けることにより、人体に固定し使用することを特徴とする傘固定用具。
チューブは可撓性を持つ、プラスチック、ゴム、ばね性のある金属、竹などからなる。
【請求項２】
上記請求項１のチューブ状またはクリップからなる固定具を、短いベルトに取り付けた傘固定用具。
【発明の詳細な説明】
【技術分野】
【０００１】  本発明は、首、肩にベルトをかけ、傘を傘固定具に固定し、手を使うことなく傘をさすことのできる用具に関するものである。
【背景技術】
【０００２】  従来、フレキシブルな傘の柄を首や肩に巻きつけて装着するものがあった（特許文献１参照）。また、体にベルトや棒を組み合わせた装着具を着用し傘を固定する発明（特許文献２参照）があった。
【特許文献１】特許公開２００５−４０５５７号
【特許文献２】特許公開２００５−７３９３０号
【発明の開示】
【発明が解決しようとする課題】
【０００３】  上記の特許は以下のような問題点があった。
（イ）取り付け、調整に時間がかかる。
（ロ）携帯するのにかさばり、持ち運びにくい。
本発明はこれらの問題点を解決するためになされたものである。
【課題を解決するための手段】
【０００４】  肩、首に傘固定用具のついた専用ベルトをかけ、ベルトの先端に取り付けた固定具により、ズボン、スカートに固定する。ベルトに取り付けた傘固定具に傘を取り付ける。
【発明の効果】
【０００５】  雨の日に傘を手で持たずにさすことができ、両手を自由にできる。また、簡単に装着することができ、持ち運びが容易である。
【実施例１】
【０００６】以下、本発明の実施の形態について説明する。
（イ）傘を取り付けるため、図１に示すように、丈夫で柔らかい布製の肩掛けベルト（１）に、傘固定具（２）を２個取り付ける。
（ロ）肩掛けベルト（１）の先端にはベルトに固定するためのクリップからなる肩掛けベルト固定具（３）を取り付ける。
（ハ）長さ調整具（４）を肩掛けベルト（１）の途中に取り付ける。面ファスナー、ホックなどで取り付けることにより、取り付け位置を調整できるようにすることも可能である。
（ニ）傘固定具（２）は図２のように、プラスチックからなるチューブ（５）の一部を縦長に切り欠いて挿入口（７）を設け、チューブ（５）の内側にゴムからなる滑り止め（６）をつけてある。
（ホ）長さ調整具は図３に示すように、長さ調整具雄片（８ａ）と長さ調整具雌片（８ｂ）に肩掛けベルト（１）をそれぞれ通して固定し装着する。
（ヘ）傘を固定するには、図４に示すように、傘の柄（９）を傘固定具（２）の挿入口（７）に押し込む。傘の柄は図５のように固定される。
（ト）このベルトを図６のように肩、首にかけ先端につけたクリップやフックで、ズボンのベルト（１０）に取り付け、傘を上記（ヘ）のように固定し使用する。
【実施例２】
【０００７】  （イ）図７に示すように、小さな固定具取り付けベルト（１１）の両端に面ファスナーよりなる固定具取り付けベルト留め具（１２）をつける。面ファスナーはボタン、ホックどでも構わない。
（ロ）固定具取り付けベルトを実施例１の肩掛けベルト（１）あるいは、リュックサック、バッグ、かばん、エキスパンダーのストラップに図８のように取り付ける。
（ハ）実施例１と同様に、傘固定具に傘を取り付け使用する。【０００８】  （イ）固定具の一部を切り欠いたチューブ（５）は図１０に示すようなクリップ（１３）でも代用できる。
【図面の簡単な説明】
【０００８】
【図１】本発明の斜視図
【図２】本発明の傘固定具の斜視図
【図３】実施例１の長さ調整具の斜視図
【図４】実施例１の傘取り付け具への傘の柄の取り付け方を示す斜視図
【図５】実施例１の傘取り付け具へ傘の柄を取り付けた状態を示す斜視図
【図６】本発明の傘取り付け具と傘を人体に取り付けた使用図
【図７】実施例２の傘固定具を示す斜視図
【図８】実施例２の傘固定具をベルト、ストラップなどに取り付けた状態を示す斜視図
【図９】傘固定具用クリップの斜視図
【符号の説明】
【０００９】  １  肩掛けベルト
２  傘固定具
３  肩掛けベルト固定具
４  長さ調整具
５  チューブ
６  滑り止め
７  長さ調整具Ａ
８  長さ調整具Ｂ
９  傘の柄
１０  ズボンのベルト
１１  固定具取り付けベルト
１２  固定具取り付けベルト留め具
１３  傘取り付け具用クリップ
【図１】
2008100019.tif 000003
【図２】
2008100019.tif 000004
【図３】
2008100019.tif 000005
【図４】
2008100019.tif 000006
【図５】
2008100019.tif 000007
【図６】
2008100019.tif 000008
【図７】
2008100019.tif 000009
【図８】
2008100019.tif 000010
【図９】
2008100019.tif 000011
(57)【要約】      （修正有）【課題】眼科手術器具のハンドピースを主体として、他の医療手術器具にも応用できる自動洗浄装置を提供する。【解決手段】エアーポンプ１３と水流ポンプ１６を交互に切り替える三方弁１５と、かん流吸引のポート１２、１２にそれぞれ二方弁１０，１１を設け、更に独立した  バキュームチュービング６とバキュームポンプ５を有するハンドピース洗浄装置である。【選択図】図１
2008100017.tif 000002
【特許請求の範囲】
【請求項１】
エアーポンプと水流ポンプを交互に切り替え三方弁と他端がかん流吸引のポートにそれぞれ二方弁を設け更に、別に独立したバキュームポンプを有するハンドピース洗浄装置。
【発明の詳細な説明】
【技術分野】
【０００１】本発明は眼科手術器具のハンドピースを主体として、他の医療用手術器具にも応用出来る自動洗浄装置に関するものである。
【背景技術】
【０００２】ここではハンドピースを例にする。従来手術後のハンドピースの筒内の洗浄は注射器で洗浄液を吸引しては圧入排出を繰り返し又、チップ内の目詰まりや汚れ等をコンプレッサーにて排出し、それぞれ手作業の方法のみで洗浄効果を向上させている。【０００３】手術後のハンドピース筒内及びチップ筒内は血液、脂肪、蛋白、皮質等が目詰まり手術後のハンドピース筒内及びチップ筒内は血液、脂肪、蛋白、皮質等が目詰まりするので綺麗に洗浄する事が必要不可欠である。【０００４】次に眼科手術器具、ダイヤモンドナイフ、Ｉ／Ａハンドピース等をカセットケースに入れ、オートクレーブ（滅菌器）で圧力と高温蒸気で滅菌する。
【発明が解決しようとする課題】
【０００５】眼科手術に関しては、非常に繊細で清潔な器具が要求されます。例えばチューブの先端横のは０，３ミリの吸引ポートが有り非常に小さい為目詰まりを起こしやすく、洗浄が不十分だと前の患者が感染症だと残留物から感染を起こす危険性が考えられる、又目詰まり状態が器械の機能が低下するだけではなく、手術の完成度も危うい。
【０００６】ましてチップ１本単価５万円前後で、Ｕ／Ｓハンドピースに老いては１本１５０万円の高価なものであり、買い置きも困難である。そこでこの洗浄装置で確実且つ完璧に洗浄することが望まれる。
【課題を解決するための手段】
【０００７】そこでこの洗浄装置はハンドピースを取り付け台に置き、上部より片側にＴ番の有る押さえ板で、そしてフックで固定する。
先ず、最初にバキュームポンプのチューブをチップに通ずるハンドピースの凸パイプに挿入しスイッチする事でバキュームポンプが作動する。
【０００８】これはチップに手術後時間が経つとチップ内に血液、蛋白、脂肪、皮質等が乾いて固形化すると想定し先に吸引除去を行う。
【０００９】バキュームポンプで吸引する前に、いきなりエアーポンプで圧送すると、チップの先端の穴が小さいので、もし目詰まりを無理に圧送を続けるとチップの穴が変形し繋ぎ目のシールが破損する可能性があるので、その為に先に吸引を行う。
【００１０】次にエアーポンプにて三方弁を経てエアーパルスフラッシュを数回又ポートを通してハンドピースにフラッシュする。
【００１１】そして、次に具え付きの洗浄液をチューブポンプでエアーポンプ同様三方弁を経てハンドピースにフラッシュする。
【００１２】このエアーポンプとチューブポンプの動作を数回繰返し最後にエアーパルスフラッシュで終える。
【００１３】以上一連の洗浄システムの作動により的確に完全且つ安心して目的を達成する事が出来る。
【発明の効果】
【００１４】以上詳述したように、本発明によれば、バキュームポンプ（５）の吸引によりチップ（２）先端の異物が詰まる事が無くチップ（２）の寿命を長く持たせたり洗浄液を間違えたり、無駄にする事はない。
【００１５】又、今後の装置の小型化と構造上の簡素化により、製造、装置のコストを低減する事が出来る。
【発明の実施する為の最良の形態】
【００１６】以下、本発明の実施例に係わるハンドピース（１）洗浄装置について添付の図面を参照して具体的に説明する。第一図は本発明に係わるハンドピース（１）洗浄装置を示す模式図である。第二図は本発明に係わるハンドピース洗浄装置全体を示す概略図である。第三図は本発明に係わるハンドピース（１）の押えを示す断面図である。
【実施例】
【００１７】以下、本発明の効果を実証する為に行った試験結果について、具体的に説明する。ハンドピース洗浄装置を使用して洗浄力を従来の洗浄と比較する試験を実施した。【００１８】従来手洗いにおいての一連の作動は日常マンネリ化され、ともすると簡単に済まして処理をする為ハンドピース（１）内及びチップ（２）内に絶えず汚物が残る可能性が有るとともに、器具を手元から落下して破損する事がある。【００１９】このハンドピース（１）を自動洗浄装置を使用する事で完全に洗浄し又回数を増やす事でより一層完璧に洗浄する事が確認された。【００２０】以上、詳述した様に本開発によれば、バキュームポンプ（５）の吸引により、チップ（２）内に詰まる事が無く、寿命を長く持たせたり、洗浄液を間違えたり無駄にする事は無い。
【産業上の利用可能性】
【００２１】特に眼科分野において、ハンドピース及びチップの汚物の洗浄殺菌及び眼科手術器具等には絶対に必要不可欠については大である。
【図面の簡単な説明】
【００２２】
【図１】ハンドピース洗浄装置模式図
【図２】ハンドピース洗浄装置全体の概略図
【図３】ハンドピース押え
【図４】ハンドピース及びチップ先端の断面拡大図
【符号の説明】
【００２３】      １，  ハンドピース
２，  チップ
３，  ハンドピース押え
４，  フック
５，  バキュームポンプ
６，  バキュームチュービング
７，  ハンドピース凸部
８，  ハンドピース凹部
９，  異物受
１０，第一二方弁
１１，第二二方弁
１２，二法弁チュービング
１３，エアーポンプ
１４，エアーフィルター
１５，三方弁
１６，チューブポンプ
１７，洗浄液瓶
１８，ハンドピース取付台
【図１】
2008100017.tif 000003
【図２】
2008100017.tif 000004
【図３】
2008100017.tif 000005
【図４】
2008100017.tif 000006
(57)【要約】【課題】ガス吹き込み用スリットの軸方向の端部の耐衝撃性を強化した鋳造用ノズルを提供する。【解決手段】ノズル１は、スリット５の上端部のノズル本体２のノズル内孔３側とノズル外周側とが連続する連続部分１４が、多数軸方向に入り込んで形成されるから、ストッパーヘッドＳＨが流入口４に衝撃的に当接する際に、スリット５の上端に向う衝撃応力の到達距離や時間等が異なって該応力が分散されるとともに、連続部分１４が不規則に存在することによりスリット５の上端部の耐衝撃性を強化することができる。因みに、本実施例のノズル１にストッパーヘッドＳＨをセットして加圧破壊試験を行った結果、連続部分１４を形成しない従来のものに比して、約３０パーセント強度が増加した。【選択図】図５
2008100254.tif 000002
【特許請求の範囲】
【請求項１】
ノズル本体に埋め込んだ円筒形消失型を消失させることにより、ノズル内孔と同心で軸方向に連続するリング状のガス吹き込み用スリットを形成する鋳造用ノズルにおいて、
前記円筒形消失型に、軸方向の端部から切り込んだ切り込みを複数円周方向に設け、前記ガス吹き込み用スリットの端部の前記ノズル本体のノズル内孔側とノズル外周側とが連続する連続部分を、複数箇所軸方向に入り込ませて形成することを特徴とする鋳造用ノズル。
【発明の詳細な説明】
【技術分野】
【０００１】
本発明は、ノズル内孔と同心で軸方向にリング状のガス吹き込み用のスリットを形成してなる鋳造用ノズルに関するものである。
【背景技術】
【０００２】
鋳造時にノズル内壁に付着する介在物を除去したり、酸化を防止したりするため、ノズル内孔と同心で軸方向にリング状のスリットを形成して、該スリットにアルゴンガス等の不活性ガスを吹き込むようにした鋳造用ノズルがある。
【０００３】
しかしながら、鋳造用ノズルには鋳造開始時の溶鋼流の落下衝撃や、鋳造時の熱衝撃及びノズル内孔閉鎖時のストッパーヘッドの当接衝撃等が繰り返し作用する。このため、ノズル本体内にノズル内孔と同心のガス吹き込み用のスリットが存在すると、これらの熱衝撃やストッパーヘッドの当接衝撃等により、スリット部分に向かって亀裂や割れが発生する場合がある。また、ストッパーヘッドの当接衝撃はスリットの上端部に直接作用するため、該上端部に対する耐衝撃性強化の要請がある。
【特許文献１】無し
【発明の開示】
【発明が解決しようとする課題】
【０００４】
本発明は上記の問題を解決するためになされたもので、ガス吹き込み用スリットの軸方向の端部の耐衝撃性を強化した鋳造用ノズルを提供するものである。
【課題を解決するための手段】
【０００５】
上記目的を達成するための請求項１に記載の鋳造用ノズルは、焼成時、ノズル本体に埋め込んだ円筒形消失型を消失させることにより、ノズル内孔と同心で軸方向に連続するリング状のガス吹き込み用スリットを形成した鋳造用ノズルにおいて、前記円筒形消失型に、軸方向の端部から切り込んだ切り込みを複数円周方向に設け、前記ガス吹き込み用スリットの端部の前記ノズル本体のノズル内孔側とノズル外周側とが連続する連続部分を、複数箇所軸方向に入り込ませて形成することを特徴とする。
【発明の効果】
【０００６】
上記請求項１に記載の鋳造用ノズルによれば、ガス吹き込み用スリットの端部のノズル本体のノズル内孔側とノズル外周側とが連続する連続部分を、複数箇所軸方向に入り込ませて形成するから、スリットに向う衝撃応力の到達距離や時間等が異なって該応力が分散されるとともに、連続部分が不規則に存在することによりスリット端部の耐衝撃性を強化することができる。
【実施例】
【０００７】
本発明の実施例を図面に基づいて説明する。図１はガス吹き上ノズル（以下、単にノズルという。）１の断面図である。ノズル本体２の軸方向の中心には、ノズル内孔３が形成されている。ノズル内孔３の上端部は、ストッパーヘッドＳＨにより閉じられる溶鋼の流入口４が形成されている。図１に示すように流入口４は、ノズル内孔３に滑らかに連続する曲面により形成されている。そして、ノズル内孔３と同心で軸方向にリング状のガス吹き込み用のスリット５が形成されている。このスリット５は、不活性ガスを吹き込んでノズル内孔３にアルミナ等が付着するのを抑制するためのものであり、ノズル１の焼成時に消失する紙製の円筒形消失型により形成される。
【０００８】
図２は、スリット５を形成するための円筒形消失型１１を示したものである。円筒形消失型１１は、上端部１２から楔形に切り込んだ切込み１３が円周方向に多数形成されている。切込み１３は一つ置きに切込み深さを異ならせている。
【０００９】
上記円筒形消失型１１は、ノズル本体２内に埋め込まれノズル１の焼成時に消失し、ノズル本体２にノズル内孔３と同心で軸方向にリング状のガス吹き込み用のスリット５が形成される。図４及び図５に示すようにスリット５は、上端部に円筒形消失型１１の上端部１２からの切り込み１３により、ノズル本体２のノズル内孔３側とノズル外周側とが連続する楔形の連続部分１４が、多数軸方向に入り込んで形成される。そして、ノズル１には、スリット５に連通する水平のガス吹き込み路１５が形成されている。ガス吹き込み路１５には、ガス供給管用接続ポート１６が取付けられている。
【００１０】
本実施例のノズル１は、スリット５の上端部のノズル本体２のノズル内孔３側とノズル外周側とが連続する連続部分１４が、多数軸方向に入り込んで形成されるから、ストッパーヘッドＳＨが流入口４に衝撃的に当接する際に、スリット５の上端に向う衝撃応力の到達距離や時間等が異なって該応力が分散されるとともに、連続部分１４が不規則に存在することによりスリット５の上端部の耐衝撃性を強化することができる。因みに、本実施例のノズル１にストッパーヘッドＳＨをセットして加圧破壊試験を行った結果、連続部分１４を形成しない従来のものに比して、約３０パーセント強度が増加した。
【００１１】
上記円筒形消失型１１に形成した切り込み１３は、スリット５の下端部にも形成することができる。また、図６に示すように短冊形の切り込み２３等、任意の形状の切り込みを設けることができる。
その他、本発明は、ノズル本体中にガス吹き込み用スリットが形成される鋳造用ノズルに適用できる。
【図面の簡単な説明】
【００１２】
【図１】上ノズルの断面図である。
【図２】円筒形消失型の正面図である。
【図３】切り込みの形状を示した説明図である。
【図４】図１に於けるＡ−Ａ線断面図である。
【図５】ノズル本体の要部の展開図である。
【図６】切り込みの他の形状を示した説明図である。
【符号の説明】
【００１３】
１...上ノズル
２...ノズル本体
３...ノズル内孔
５...スリット
１１...円筒形消失型
１２...上端部
１３，２３...切り込み
１４...連続部分
【図１】
2008100254.tif 000003
【図２】
2008100254.tif 000004
【図３】
2008100254.tif 000005
【図４】
2008100254.tif 000006
【図５】
2008100254.tif 000007
【図６】
2008100254.tif 000008
(57)【要約】      （修正有）【課題】風圧を利用して大気中を削減するものであり地球温暖化を防ぎ環境保全に寄与する装置を提供する。【解決手段】車輌等が受ける風圧を利用し二酸化炭素を石灰水６の中に通すことにより吸収する。【選択図】図２
2008100206.tif 000002
【特許請求の範囲】
【請求項１】
風圧を利用して大気中の二酸化炭素を削減する装置
【発明の詳細な説明】
【技術分野】
【０００１】  本発明は、風圧を利用して大気中の二酸化炭素を削減するものであり地球温暖化を防ぎ環境保全に寄与する装置である。
【背景技術】
【０００２】  現在、化石燃料等の大量消費により大気中の二酸化炭素濃度が高くなっている。
【発明の開示】
【発明が解決しようとする課題】
【０００３】  二酸化炭素濃度が高いことにより地球温暖化が危ぐされている、本発明は大気中の二酸化炭素を削減し地球温暖化を解決することを課題とする。
【課題を解決するための手段】
【０００４】  この課題を解決するため請求項の発明は、車輌、船舶、航空機等が移動する時に受ける風圧を利用し本装置の中に大気を取り入れ、本装置内の石灰水の中を通すことにより大気中の二酸化炭素を削減する。
【発明の効果】
【０００５】  本発明により大気中の二酸化炭素が削減され、地球温暖化を防ぐことが出来、環境保全に寄与する。
【発明を実施するための最良の形態】
【０００６】    図１は車輌の内部に本装置を設けたことを特徴とする。車輌が進行することにより車輌の前部は風圧を受け本装置の中を大気が通る。【０００７】    図２は本装置の取り入れ口より入った大気が誘導管を通り石灰水の中で気泡となり誘導板に沿って上昇しその過程で二酸化炭素が削減され排出される。【０００８】    この場合の化学反応式は
【化１】
2008100206.tif 000003
によって表現することが出来る。
【産業上の利用可能性】
【０００９】    本発明に係る風圧を利用した二酸化炭素削減装置は  工業的に量産する事が可能であるため、産業上の利用可能性を有する
【図面の簡単な説明】
【００１０】
【図１】  本装置を車輌の内部に設けた状態の断面図である。
【図２】  本装置のメカニズムを表した断面図である。
【符号の説明】
【００１１】  １    取り入れ口
２    誘導管
３    気泡
４    気泡の動きを表す矢印
５    誘導板
６    石灰水
７    排出口
【図１】
2008100206.tif 000004
【図２】
2008100206.tif 000005
(57)【要約】【課題】冷却フィンとファンとの間のダクト構造を解消し、装置構造の簡略化とユニット一体型のメンテナンス要望に添える点を解決するものである。【解決手段】鉄道車両の床下に装着された鉄道車両用強制風冷冷却制御装置において、冷却フィン下部よりファンにより冷却することにより、走行風の影響を受けずに規定風量確保が可能となり、通気ダクト距離が短縮でき、制御ユニットに防塵フィルターとファンを設置することで装置側に専用の取付構造を構成する必要も無く、且つ、点検カバーを通気ダクト兼用とすることで、軽量化及び素材使用量、製作コストの低減ができる【選択図】図１
2008100559.tif 000002
【特許請求の範囲】
【請求項１】
鉄道車両の床下に装着された鉄道車両用強制風冷冷却制御装置において、上下に通風する冷却フィン付き制御ユニットの該冷却フィンの下部にファンを設け、前記冷却フィンの上部より排気し、該制御ユニットを保護する点検カバーに設けた通気ダクトに冷却風を通過させ排気することを特徴とする制御装置。
【請求項２】
前記ファン下部に防塵フィルターを設け、塵埃を防ぐ構造としたことを特徴とする請求項１記載の制御装置。
【請求項３】
前記冷却フィン付き制御ユニットに前記ファン、該防塵フィルターを組み合わせたことを特徴とする請求項１記載の制御装置
【発明の詳細な説明】
【技術分野】
【０００１】
本発明は、上下の通風する冷却フィンを持った制御ユニットを構成する、鉄道車両用強制風冷冷却制御装置に関するものである。
【背景技術】
【０００２】
従来の強制冷却フィン付き制御ユニットの冷却風はフィンに対し、左右方向にファンの冷却風をあてるため
、車両進行方向に入排気口が配置されてしまうと走行風の影響を受け、性能を確保するため、風道構造が複雑になっていた。ファン及び防塵用フィルターの構成も冷却方向の制約により、単独で構成、配置していた。
【特許文献１】特開２０００−３４６４９６公報
【発明の開示】
【発明が解決しようとする課題】
【０００３】
現状では、以下のような課題がある。
１）     
冷却風入気口から排気口までが左右方向の為、通気ダクト構造を長く確保しないと規定風量確保が困難である。
２）     
冷却風を車両進行方向にすると、車両走行時、走行風が抵抗となり効率的な冷却が出来ない為、必ず入気側は進行方向とならない様にダクトの構造を複雑にしている。
３）     
前記の理由から、防塵フィルター、冷却ファンは独立して配置せざるを得ない構造となっている。
４）     
しかして本発明の目的とするところは、上下方向に冷却風を通過させ、排気ダクト構造を短く構成し、且つ、防塵フィルターと冷却用ファンを構成する制御ユニット付き制御装置を提供することにある。
【課題を解決するための手段】
【０００４】
その目的を達成するための手段は、請求項1において、制御ユニットの冷却フィンを下から上に冷却風が通気する様に冷却フィン下部にファンを配置し走行風の抵抗を受けないように構成し、通気ダクトを点検カバーに設置したものである。
請求項2において、制御ユニットに配置したファンの下部に防塵フィルターを設置したものである。
請求項３において、冷却フィン付き制御ユニットに前記ファン及び防塵フィルターを構成したものである。
【発明の効果】
【０００５】
本発明によれば、冷却フィン下部よりファンにより冷却することにより、走行風の影響を受けずに規定風量確保が可能となり、通気ダクト距離が短縮でき、制御ユニットに防塵フィルターとファンを設置することで装置側に専用の取付構造を構成する必要も無く、且つ、点検カバーを通気ダクト兼用とすることで、軽量化及び素材使用量、製作コストの低減ができる。
【発明を実施するための最良の形態】
【０００６】
図１は本発明の全体の構成を示す断面図、図２は図３の点検カバー５を外した状態示す正面図、図３は本発明が適用された装置に点検カバー５を取り付けた状態を示した図、図4は防塵フィルター３、冷却ファン４の着脱を示した図である。
【０００７】
図5は、冷却フィン９を通過する冷却風８の流れを示したものである。下部冷却ファン4より吸い込まれる冷却風８は、防塵フィルター3を通過し、制御ユニット2の冷却フィン9の入気側に入り、冷却フィン９の排気側より吐出され点検カバー通気ダクト6を通過し点検カバー5から冷却風排気口７より排出する。
【産業上の利用可能性】
【０００８】
走行風の影響を受けて規定風量確保がしにくい他の走行車輌（鉄道車両に限らない）の強制風冷冷却制御装置において、通気ダクト距離が短縮でき、制御ユニットに防塵フィルターとファンを設置することで装置側に専用の取付構造を構成する必要も無く、且つ、点検カバーを通気ダクト兼用とすることで、軽量化及び素材使用量、製作コストの低減ができる。
【図面の簡単な説明】
【０００９】
【図１】本発明の全体の構成を示す断面図である。
【図２】本発明が適用された装置に点検カバーを取り付けた外した正面図である。
【図３】本発明が適用された装置に点検カバーを取り付けた状態を示した図である。
【図４】図１の防塵フィルター、ファンの着脱を示した図である。
【図５】図１に冷却風を示した図である。
【符号の説明】
【００１０】
１    制御装置本体
２    制御ユニット
３    防塵フィルター
４    冷却ファン
５    点検カバー
６    点検カバー通気ダクト
７    冷却風排気口
８    冷却風
９    冷却フィン
【図１】
2008100559.tif 000003
【図２】
2008100559.tif 000004
【図３】
2008100559.tif 000005
【図４】
2008100559.tif 000006
【図５】
2008100559.tif 000007
(57)【要約】【課題】液晶などの薄型テレビジョン受信機の台などを輸送する場合、左右のポールを取付けた台の完成状態では梱包箱が大きくなるため、ポールを台から外した状態で梱包し、ポールは設置作業者が台にビス止めで取付ける仕様にしている。  しかし、設置作業者がポールを台に取付ける際、台を逆さまにしポールを挿入するが、台からポールがとび出す為、台が不安定で作業がしづらいという課題があった。【解決手段】天緩衝材４０４は孔４０８、逃げ孔４０９を有しており底緩衝材４０３は突起４０６、逃げ孔４０７を有しており、突起４０６を孔４０８を差し込むことで天緩衝材４０４は底緩衝材４０３に保持される。逃げ孔４０９、逃げ孔４０７があるためポール４０５は天緩衝材４０４、底緩衝材４０３に干渉することなく台４０１に取付けることが可能となる。【選択図】図１
2008100739.tif 000002
【特許請求の範囲】
【請求項１】
少なくとも１つの孔部を備えた、梱包時に台を固定する緩衝材であって、
前記孔部は、前記台を前記緩衝材に固定した際に、前記台に備えられたポール固定部上に位置することを特徴とする緩衝材。
【発明の詳細な説明】
【技術分野】
【０００１】
本発明はテレビジョン受信機などの電子機器の台などに利用される梱包箱の緩衝材に関するものである。
【背景技術】
【０００２】
従来、液晶などの薄型テレビジョン受信機を輸送する場合、液晶などの薄型テレビジョン受信機と台をはずした状態で梱包する（例えば特許文献１に記載。）。この際、左右のポールを取付けた台の完成状態では梱包箱が大きくなるため、ポールを台から外した状態で梱包し、ポールは設置作業者が台にビス止めで取付ける仕様にしている。
【０００３】
しかし、設置作業者がポールを台に取付ける際、台を逆さまにしてポールを挿入するが、台からポールがとび出す為、台が不安定で作業がしづらいという課題があった。
【特許文献１】特開２００６−８９０６９号公報
【発明の開示】
【発明が解決しようとする課題】
【０００４】
本発明は前記従来の課題を解決するもので、底緩衝材に突起、天緩衝材に穴を設け、突起を穴に差込むことにより、台を仮固定することで、コストをかけずにポールの組み立て時の作業性に問題の無い梱包箱を提供することを目的とする。
【課題を解決するための手段】
【０００５】
前記従来の課題を解決するために、本発明の梱包箱は底緩衝材に突起、天緩衝材に穴を設ける構造を有する。
【０００６】
本構成によって、底緩衝材の突起を天緩衝材の穴に差込むことで、底緩衝材と天緩衝材が一体化し、台を仮固定する構造となる。
【発明の効果】
【０００７】
本発明の梱包箱によれば、薄型テレビジョン受信機の台の梱包箱のように設置作業者が組み立てをする場合において、台を仮固定することで作業性よく、組み立てをすることができる。
【発明を実施するための最良の形態】
【０００８】
以下本発明を実施するための最良の形態について、図面を参照しながら説明する。
【０００９】
（実施の形態１）
図１は本発明の実施の形態１において底緩衝材の上側に形成する突起を円形に、天緩衝材の上側に形成する穴を円形とした梱包箱を示す斜視図である。また、図２は図１を構成する梱包箱のポール取付け時の組立て仕様を表す斜視図、図３は図１を構成する梱包箱の底緩衝材、天緩衝材の拡大図、図４は図１を構成する梱包箱の上面図及び断面図である。
【００１０】
図１において、台１０１は、段ボール箱１０２、底緩衝材１０３、天緩衝材１０４により梱包されている。その際、底緩衝材１０３は突起１０６を天緩衝材１０４は孔１０７、逃げ穴１０８を有している。図２において、底緩衝材２０３は突起２０６と逃げ穴２０９を、天緩衝材２０４は逃げ穴２０７を有している。図３において、底緩衝材３０１は突起３０２と逃げ穴３０３を、天緩衝材３０４は孔３０５と逃げ穴３０６を有している。図４において、底緩衝材４０３は突起４０６と逃げ穴４０７を、天緩衝材４０４は孔４０８と逃げ穴４０９を有している。上記図２乃至図４において台２０１（または４０１）は、ポール２０５（または４０５）を取付ける際、天緩衝材２０４（または３０４、４０４）によって保持されている。天緩衝材２０４（または３０４、４０４）は孔４０８（または３０５）、逃げ孔４０９（または２０７、３０６）を有している。底緩衝材２０３（または３０１、４０３）は突起２０６（または３０２、４０６）、逃げ孔４０７（または２０９、３０３）を有している。かかる構成によれば、天緩衝材２０４（または３０４、４０４）の孔４０８（または３０５）に底緩衝材２０３（または３０１、４０３）の突起２０６（または３０２、４０６）、を差し込む事で天緩衝材２０４（または３０４、４０４）は底緩衝材２０３（または３０１、４０３）に保持される。台２０１（または４０１）を天緩衝材２０４（または３０４、４０４）に置き、ポール２０５（または４０５）を取付けるが、天緩衝材２０４（または３０４、４０４）の逃げ孔２０７（または３０６、４０９）及び底緩衝材２０３（または３０１、４０３）の逃げ孔２０９（または３０３、４０７）があるため、ポール２０５（または４０５）が天緩衝材２０４（または３０４、４０４）、底緩衝材２０３（または３０１、４０３）にあたることなくビス４１１で固定することが可能となる。また天緩衝材２０４（または３０４、４０４）は逃げ孔２０８（または４１０）を有しているため梱包時に底緩衝材２０３（または３０１、４０３）の突起２０６（または３０２、４０６）に天緩衝材２０４（または３０４、４０４）が干渉することは無い。
【産業上の利用可能性】
【００１１】
本発明にかかる緩衝材は、台を仮固定することでコストをかけずにポールの組み立て時の作業性に問題の無い梱包箱として有用である。
【図面の簡単な説明】
【００１２】
【図１】本発明の実施の形態１における梱包箱の梱包時の斜視図
【図２】本発明の実施の形態１における梱包箱のポール取付け時の斜視図
【図３】（ａ）本発明の実施の形態１における天緩衝材の拡大図（ｂ）本発明の実施の形態１における底緩衝材の拡大図
【図４】（ａ）本発明の実施の形態１における梱包箱のポール取付け時の上面図（ｂ）本発明の実施の形態１における梱包箱のポール取付け時の断面図
【符号の説明】
【００１３】
１０１    台
１０２    段ボール箱
１０３    底緩衝材
１０４    天緩衝材
１０５    ポール
１０６    突起
１０７    孔
１０８    逃げ孔
２０１    台
２０２    段ボール箱
２０３    底緩衝材
２０４    天緩衝材
２０５    ポール
２０６    突起
２０７    逃げ孔
２０８    逃げ孔
３０１    底緩衝材
３０２    突起
３０３    逃げ孔
３０４    天緩衝材
３０５    孔
３０６    逃げ孔
４０１    台
４０２    段ボール箱
４０３    底緩衝材
４０４    天緩衝材
４０５    ポール
４０６    突起
４０７    逃げ孔
４０８    孔
４０９    逃げ孔
４１０    逃げ孔
４１１    ビス
【図１】
2008100739.tif 000003
【図２】
2008100739.tif 000004
【図３】
2008100739.tif 000005
【図４】
2008100739.tif 000006